(57)【要約】【課題】本考案は、構造がシンプルであるため携帯性や保管性に優れ、しかも使用後の洗浄及び滅菌が行い易いラット・マウス開口器を提供する。【解決手段】ラット・マウス開口器１０は矩形枠状に形成された歯係止フレーム１２と、この歯係止フレーム１２の内側に取り付けられた第１口係止フレーム１４及び第２口係止フレーム１６と、歯係止フレーム１２に取り付けられた開口調節体１８と、を備えている。歯係止フレーム１２の第１フレーム部２０には第１歯係止部２６が形成され、第２フレーム部２２には第２歯係止部２８が形成されている。第１口係止フレーム１４には第１口唇当接部３０と第１口腔内当接部３２が形成されている。第２口係止フレーム１６には第２口唇当接部４０と第２口腔内当接部４２が形成されている。また、歯係止フレーム体１２には第２口係止フレーム回動阻止リング体４４がスライド可能に巻装されている。【選択図】図１
0003194403.tif 000002
【実用新案登録請求の範囲】
【請求項１】
枠状に形成された歯係止フレームと、この歯係止フレームの内側に設けられた第１口係止フレームと、前記歯係止フレームの内側に前記第１口係止フレームと対向して設けられた第２口係止フレームと、前記歯係止フレームの基端部に設けられた開口調節体と、を備えてなるラット・マウス開口器であって、
前記歯係止フレームを構成する第１フレーム部と、この第１フレーム部と対向して配設されて前記歯係止フレームを構成する第２フレーム部と、前記第１フレーム部の先端部と前記第２フレーム部の先端部を連結して前記歯係止フレームを構成する第３フレーム部と、前記第１口係止フレームに形成された第１口唇当接部及び第１口腔内当接部と、前記第１フレーム部の基端部に取り付けられた前記第２口係止フレームの一端部と、前記第２フレーム部の基端部に取り付けられた前記第２口係止フレームの他端部と、前記第２口係止フレームに形成された第２口唇当接部及び第２口腔内当接部と、前記第１フレーム部と前記第２フレーム部を離間又は接近させることができる前記開口調節体と、を有してなることを特徴とするラット・マウス開口器。
【請求項２】
枠状に形成された歯係止フレームと、この歯係止フレームの内側に設けられた第１口係止フレームと、前記歯係止フレームの内側に前記第１口係止フレームと対向して設けられた第２口係止フレームと、前記歯係止フレームの基端部に設けられた開口調節体と、を備えてなるラット・マウス開口器であって、
前記歯係止フレームを構成する第１フレーム部と、この第１フレーム部と対向して配設されて前記歯係止フレームを構成する第２フレーム部と、前記第１フレーム部の先端部と前記第２フレーム部の先端部を連結して前記歯係止フレームを構成する第３フレーム部と、前記第１フレーム部に形成された第１歯係止部と、前記第２フレーム部に形成された第２歯係止部と、前記第３フレーム部に固定された前記第１口係止フレームの一端部及び他端部と、前記第１口係止フレームの中間部を略直角に折り曲げることにより第１口係止フレームの先端部に連続形成された第１口唇当接部及び第１口腔内当接部と、前記第１フレーム部の基端部にスライド可能に取り付けられた前記第２口係止フレームの一端部と、前記第２フレーム部の基端部にスライド可能に取り付けられた前記第２口係止フレームの他端部と、前記第２口係止フレームの中間部を略直角に折り曲げることにより第２口係止フレームの先端部に連続形成された第２口唇当接部及び第２口腔内当接部と、前記第１フレーム部の基端部に固定されると共に前記開口調節体を構成する第１メネジ体と、前記第２フレーム部の基端部に固定されると共に前記開口調節体を構成する第２メネジ体と、前記第１メネジ体と第２メネジ体に螺入して取り付けられると共に前記開口調節体を構成するオネジピンと、このオネジピンに設けられた摘み調節部と、を有してなることを特徴とするラット・マウス開口器。
【請求項３】
針金状部材を曲げて矩形枠状に形成された歯係止フレームと、この歯係止フレームの内側に設けられると共に針金状部材を曲げて形成された第１口係止フレームと、前記歯係止フレームの内側に前記第１口係止フレームと対向して設けられると共に針金状部材を曲げて形成された第２口係止フレームと、前記歯係止フレームの基端部に設けられた開口調節体と、を備えてなるラット・マウス開口器であって、
前記歯係止フレームを構成する第１フレーム部と、この第１フレーム部と対向して配設されて前記歯係止フレームを構成する第２フレーム部と、前記第１フレーム部の先端部と前記第２フレーム部の先端部を連結して前記歯係止フレームを構成する第３フレーム部と、前記第１フレーム部に折り曲げて形成された第１歯係止部と、前記第２フレーム部に折り曲げて形成された第２歯係止部と、前記第３フレーム部に固定された前記第１口係止フレームの一端部及び他端部と、前記第１口係止フレームの中間部を略直角に折り曲げることにより第１口係止フレームに形成された第１口唇当接部と、この第１口唇当接部に連続形成されると共に前記第２口係止フレーム方向に向かって傾斜した第１口腔内当接部と、前記第１フレーム部の基端部にスライド可能に取り付けられた前記第２口係止フレームの一端部と、前記第２フレーム部の基端部にスライド可能に取り付けられた前記第２口係止フレームの他端部と、前記第２口係止フレームの中間部を略直角に折り曲げることにより第２口係止フレームに形成された第２口唇当接部と、この第２口唇当接部に連続形成されると共に前記第１口係止フレーム方向に向かって傾斜した第２口腔内当接部と、前記歯係止フレームにスライド可能に巻装された第２口係止フレーム回動阻止リング体と、前記第１フレーム部の基端部に固定されると共に前記開口調節体を構成する第１メネジ体と、前記第２フレーム部の基端部に固定されると共に前記開口調節体を構成する第２メネジ体と、前記第１メネジ体と第２メネジ体に螺入して取り付けられると共に前記開口調節体を構成するオネジピンと、このオネジピンの中央部に設けられた摘み調節部と、を有してなることを特徴とするラット・マウス開口器。
【考案の詳細な説明】
【技術分野】
【０００１】
本考案は、主にラット、マウス等の小動物を使用した歯科医学や薬学等の検査、実験等に使用されるラット・マウス開口器に関する。
【背景技術】
【０００２】
歯科医学の研究や薬物の作用の研究等において、ラットやマウスの口腔内を対象に種々の医療実験や医療研究を行う場合がある。
このラット、マウスの口腔内を対象に種々の検査や実験を行う場合においてラット、マウスの口を開けると共に開けた状態を保持したい場合がある。
しかし、従来において犬や猫等の口を開けた状態を保持する開口器は提案されているが（特許文献１）、ラット、マウス等の小さい動物の口を開けた状態を保持する開口器はほとんど提案されていない。
そこで、研究者が自らラット、マウス等の小動物の口を開けて口を開けた状態を保持する開口器を製作している。
しかし、研究者が自ら前記開口器を製作する場合は専門外であるため、製作時間を費やすと共に効率的でない。
また、研究者が自ら製作する開口器はシンプルな構造にするのが難しく、携帯性や保管性に欠け、使用後に行う洗浄やオートクレーブによる滅菌が行い難い等の不具合がある。
【先行技術文献】
【特許文献】
【０００３】
【特許文献１】実開平５−２４０１６号
【考案の概要】
【考案が解決しようとする課題】
【０００４】
本考案は、上記事実に鑑みなされたものであり、構造がシンプルであるため携帯性や保管性に優れ、しかも使用後の洗浄、滅菌が行い易いラット・マウス開口器を提供するものである。
【課題を解決するための手段】
【０００５】
請求項１の考案は、枠状に形成された歯係止フレームと、この歯係止フレームの内側に設けられた第１口係止フレームと、前記歯係止フレームの内側に前記第１口係止フレームと対向して設けられた第２口係止フレームと、前記歯係止フレームの基端部に設けられた開口調節体と、を備えてなるラット・マウス開口器であって、
前記歯係止フレームを構成する第１フレーム部と、この第１フレーム部と対向して配設されて前記歯係止フレームを構成する第２フレーム部と、前記第１フレーム部の先端部と前記第２フレーム部の先端部を連結して前記歯係止フレームを構成する第３フレーム部と、前記第１口係止フレームに形成された第１口唇当接部及び第１口腔内当接部と、前記第１フレーム部の基端部に取り付けられた前記第２口係止フレームの一端部と、前記第２フレーム部の基端部に取り付けられた前記第２口係止フレームの他端部と、前記第２口係止フレームに形成された第２口唇当接部及び第２口腔内当接部と、前記第１フレーム部と前記第２フレーム部を離間又は接近させることができる前記開口調節体と、を有してなることを特徴としている。
請求項２の考案は、枠状に形成された歯係止フレームと、この歯係止フレームの内側に設けられた第１口係止フレームと、前記歯係止フレームの内側に前記第１口係止フレームと対向して設けられた第２口係止フレームと、前記歯係止フレームの基端部に設けられた開口調節体と、を備えてなるラット・マウス開口器であって、
前記歯係止フレームを構成する第１フレーム部と、この第１フレーム部と対向して配設されて前記歯係止フレームを構成する第２フレーム部と、前記第１フレーム部の先端部と前記第２フレーム部の先端部を連結して前記歯係止フレームを構成する第３フレーム部と、前記第１フレーム部に形成された第１歯係止部と、前記第２フレーム部に形成された第２歯係止部と、前記第３フレーム部に固定された前記第１口係止フレームの一端部及び他端部と、前記第１口係止フレームの中間部を略直角に折り曲げることにより第１口係止フレームの先端部に連続形成された第１口唇当接部及び第１口腔内当接部と、前記第１フレーム部の基端部にスライド可能に取り付けられた前記第２口係止フレームの一端部と、前記第２フレーム部の基端部にスライド可能に取り付けられた前記第２口係止フレームの他端部と、前記第２口係止フレームの中間部を略直角に折り曲げることにより第２口係止フレームの先端部に連続形成された第２口唇当接部及び第２口腔内当接部と、前記第１フレーム部の基端部に固定されると共に前記開口調節体を構成する第１メネジ体と、前記第２フレーム部の基端部に固定されると共に前記開口調節体を構成する第２メネジ体と、前記第１メネジ体と第２メネジ体に螺入して取り付けられると共に前記開口調節体を構成するオネジピンと、このオネジピンに設けられた摘み調節部と、を有してなることを特徴としている。
請求項３の考案は、針金状部材を曲げて矩形枠状に形成された歯係止フレームと、この歯係止フレームの内側に設けられると共に針金状部材を曲げて形成された第１口係止フレームと、前記歯係止フレームの内側に前記第１口係止フレームと対向して設けられると共に針金状部材を曲げて形成された第２口係止フレームと、前記歯係止フレームの基端部に設けられた開口調節体と、を備えてなるラット・マウス開口器であって、
前記歯係止フレームを構成する第１フレーム部と、この第１フレーム部と対向して配設されて前記歯係止フレームを構成する第２フレーム部と、前記第１フレーム部の先端部と前記第２フレーム部の先端部を連結して前記歯係止フレームを構成する第３フレーム部と、前記第１フレーム部に折り曲げて形成された第１歯係止部と、前記第２フレーム部に折り曲げて形成された第２歯係止部と、前記第３フレーム部に固定された前記第１口係止フレームの一端部及び他端部と、前記第１口係止フレームの中間部を略直角に折り曲げることにより第１口係止フレームに形成された第１口唇当接部と、この第１口唇当接部に連続形成されると共に前記第２口係止フレーム方向に向かって傾斜した第１口腔内当接部と、前記第１フレーム部の基端部にスライド可能に取り付けられた前記第２口係止フレームの一端部と、前記第２フレーム部の基端部にスライド可能に取り付けられた前記第２口係止フレームの他端部と、前記第２口係止フレームの中間部を略直角に折り曲げることにより第２口係止フレームに形成された第２口唇当接部と、この第２口唇当接部に連続形成されると共に前記第１口係止フレーム方向に向かって傾斜した第２口腔内当接部と、前記歯係止フレームにスライド可能に巻装された第２口係止フレーム回動阻止リング体と、前記第１フレーム部の基端部に固定されると共に前記開口調節体を構成する第１メネジ体と、前記第２フレーム部の基端部に固定されると共に前記開口調節体を構成する第２メネジ体と、前記第１メネジ体と第２メネジ体に螺入して取り付けられると共に前記開口調節体を構成するオネジピンと、このオネジピンの中央部に設けられた摘み調節部と、を有してなることを特徴としている。
【考案の効果】
【０００６】
本考案のラット・マウス開口器は、ラット、マウス等の口を開けた状態を保持することができるという優れた効果を有する。
本考案のラット・マウス開口器は、シンプルであるので携帯や保管に便利であるという優れた効果を有する。
本考案のラット・マウス開口器は、構造がシンプルであるので使用後の洗浄及びオートクレーブによる滅菌が行い易いという優れた効果を有する。
請求項３のラット・マウス開口器は、上記優れた効果の他に第１口腔内当接部と第２口腔内当接部を傾斜して形成したのでラット・マウス開口器を使用した場合に口腔内に傷をつけるのをより一層防止することができるという優れた効果を有する。
【図面の簡単な説明】
【０００７】
【図１】実施例のラット・マウス開口器の全体斜視図である。
【図２】実施例のラット・マウス開口器の正面図である。
【図３】実施例のラット・マウス開口器の作用説明図である。
【図４】実施例のラット・マウス開口器の作用説明図である。
【考案を実施するための形態】
【０００８】
考案を実施するために最良の形態の例として以下のような実施例を示す。
【実施例１】
【０００９】
図１〜図４には本考案に係るラット・マウス開口器のラットに対する一実施例が示されている。
図１及び図２にはラット・マウス開口器１０が示されている。
【００１０】
図１に示されるように、前記ラット・マウス開口器１０は矩形枠状に形成された歯係止フレーム１２と、この歯係止フレーム１２の内側に取り付けられた第１口係止フレーム１４と、前記歯係止フレーム１２の内側に第１口係止フレーム１４と対向して取り付けられた第２口係止フレーム１６と、前記歯係止フレーム１２の基端部に取り付けられた開口調節体１８と、を備えている。
【００１１】
前記歯係止フレーム１２はステンレス製の針金状部材を矩形枠状に折り曲げて形成されている。
この歯係止フレーム１２には第１フレーム部２０と、この第１フレーム部２０と対向して配設された第２フレーム部２２と、第１フレーム部２０と第２フレーム部２２を連結する第３フレーム部２４が形成されている。
【００１２】
前記第１フレーム部２０の中央部には平面視略三角状に折り曲げられた第１歯係止部２６が形成されている。
また、前記第２フレーム部２２の中央部にも平面視略三角状に折り曲げられた第２歯係止部２８が前記第１歯係止部２６と対向して形成されている。
【００１３】
前記歯係止フレーム１２の内側にはステンレス製の針金状部材を折り曲げて形成された前記第１口係止フレーム１４が配設されている。
この第１口係止フレーム１４の一端部１４Ａと他端部１４Ｂは前記第３フレーム部２４にロウ付け固定されている。
【００１４】
図２に示されるように、前記第１口係止フレーム１４は中間部１４Ｃで略直角に折り曲げられ、中間部１４Ｃの先には第１口唇当接部３０が形成されている。また、第１口唇当接部３０の先には第１口唇当接部３０に対して傾斜した第１口腔内当接部３２が連続形成されている。この第１口腔内当接部３２は前記第２口係止フレーム１６方向に向かって少し傾斜するように形成されている。
【００１５】
図１に示されるように、前記歯係止フレーム１２の内側にはステンレス製の針金状部材を折り曲げて形成された前記第２口係止フレーム１６が前記第１口係止フレーム１４と対向して配設されている。
この第２口係止フレーム１６の一端部１６Ａは少し大径に形成され、一端部１６Ａには第１フレーム部挿通孔３６が貫通形成されている。
【００１６】
また、前記第２口係止フレーム１６の他端部１６Ｂも前記一端部１６Ａと同様に少し大径に形成され、他端部１６Ｂにも第２フレーム部挿通孔３８が貫通形成されている。
【００１７】
前記第１フレーム部挿通孔３６には前記第１フレーム部２０の平面視Ｌ字状に形成された基端部２０Ａが挿通され、前記第２フレーム部挿通孔３８には前記第２フレーム部２２の平面視Ｌ字状に形成された基端部２２Ａが挿通されている。
【００１８】
これにより、前記第２口係止フレーム１６は前記歯係止フレーム１２に取り付けられると共に一端部１６Ａは第１フレーム部２０の基端部２０Ａに対してスライド可能となり、他端部１６Ｂは第２フレーム部２２の基端部２２Ａに対してスライド可能となっている。
【００１９】
図２に示されるように、前記第２口係止フレーム１６は中間部１６Ｃで略直角に折り曲げられ、中間部１６Ｃの先には第２口唇当接部４０が形成されている。また、第２口唇当接部４０の先には第２口唇当接部４０に対して傾斜した第２口腔内当接部４２が連続形成されている。この第２口腔内当接部４２は前記第１口係止フレーム１４方向に向かって少し傾斜するように形成されている。
【００２０】
図１に示されるように、前記歯係止フレーム体１２にはステンレス製の針金状部材を略長円枠状に曲折して形成された第２口係止フレーム回動阻止リング体４４が歯係止フレーム体１２に対してスライド可能に巻装されている。
この第２口係止フレーム回動阻止リング体４４を歯係止フレーム体１２に巻装することにより前記第２口係止フレーム１６が回動するのを阻止できるようになっている。
【００２１】
また、前記第２口係止フレーム回動阻止リング体４４の隙間部寸法Ｗは前記第２口係止フレーム１６の一端部１６Ａ、他端部１６Ｂの外径寸法より小さく形成されている。従って、第２口係止フレーム回動阻止リング体４４は前記歯係止フレーム１２をスライドするが、記歯係止フレーム１２から脱落しないようになっている。
【００２２】
前記歯係止フレーム１２に固定された前記開口調節体１８は、第１メネジ体４６と、この第１メネジ体４６と間隔をあけて配設された第２メネジ体４８と、第１メネジ体４６と第２メネジ体４８に螺入して取り付けられたオネジピン５０と、このオネジピン５０の中央部に設けられた円板状の摘み調節部５２と、から構成されている。
【００２３】
前記第１フレーム部２０の基端部２０Ａの基端面は前記第１メネジ体４６とロウ付けされ、前記第２フレーム部２２の基端部２２Ａの基端面は前記第２メネジ体４８とロウ付けされ、これにより前記開口調節体１８は前記歯係止フレーム１２に固定されている。
【００２４】
前記第１メネジ体４６のメネジ部にはオネジピン５０の第１オネジ部５０Ａが螺入され、前記第２メネジ体４８のメネジ部にはオネジピン５０の第２オネジ部５０Ｂが螺入されている。
【００２５】
次に、実施例のラット・マウス開口器１０の作用を、ラット・マウス開口器１０を使用してラット１の口２を大きく開けた状態を保持する場合を例にして説明する。
【００２６】
図３に示されるように、実施例のラット・マウス開口器１０をラット１の口２に装着する場合は、歯係止フレーム体１２の第１フレーム部２０の第１歯係止部２６をラット１の下顎切歯３の裏側に位置させると共に第２フレーム部２２の第２歯係止部２８をラット１の上顎切歯４の裏側に位置させる。
【００２７】
また、前記第１口係止フレーム１４の第１口唇当接部３０と第１口腔内当接部３２をラット１の口２の中に入れて、第１口唇当接部３０を右側口唇５に当接させると共に第１口腔内当接部３２を右側口腔内６に当接させる。
【００２８】
同様に、前記第２口係止フレーム１６の第２口唇当接部４０と第２口腔内当接部４２をラット１の口２の中に入れて、第２口唇当接部４０を左側口唇７に当接させると共に第２口腔内当接部４２を左側口腔内８（図４参照）に当接させる。
【００２９】
従って、ラット１の口２は歯係止フレーム体１２の第１フレーム部２０と第２フレーム部２２によって上下方向に開かれ、第１口係止フレーム１４と第２口係止フレーム１６によって左右方向に開かれると共に口２を開いた状態を保持される。
この結果、実験者は実験者の意思通りにラット１の口２を開けた状態に保持できるので、ラット１の口腔内の様々な検査、実験を行うことができる。
【００３０】
なお、ラット・マウス開口器１０をラット１の口２に取り付けた場合、前記第１口係止フレーム１４の第１口腔内当接部３２と前記第２口係止フレーム１６の第２口腔内当接部４２はラット１の口２に入り込むが、第１口腔内当接部３２は第２口係止フレーム１６の方向に向かって少し傾斜し、第２口腔内当接部４２は第１口係止フレーム１４の方向に向かって少し傾斜している。
このため、第１口腔内当接部３２は右側口腔内６に強く当接せず、第２口腔内当接部４２も左側口腔内８に強く当接しないので、ラット１の口腔内に傷をつけることをより一層防ぐことができる。
【００３１】
なお、ラット１の口２を上下方向にさらに大きく開けたい場合は摘み調節部５２を図２矢印Ｘ方向に回すと第１メネジ体４６と第２メネジ体４８は互いに離間方向に移動するので、歯係止フレーム体１２の第１フレーム部２０と第２フレーム部２２は離間する。これにより、ラット１の口２を上下方向にさらに開くことができる。
【００３２】
一方、ラット１の口２を上下方向に少し閉じたい場合は摘み調節部５２を図２矢印Ｙ方向に回すと第１メネジ体４６と第２メネジ体４８は互いに接近方向に移動するので、歯係止フレーム体１２の第１フレーム部２０と第２フレーム部２２は接近する。これにより、ラット１の口２を上下方向に閉じることができる。
【００３３】
なお、前記第２口係止フレーム回動阻止リング体４４は第２口係止フレーム１６が回動するのを阻止するためのものであるが、図４に示されるように、ラット１の舌９が動いて研究、実験の邪魔になる場合は前記第２口係止フレーム回動阻止リング体４４を舌９に当接することにより舌９が動かないようにすることができる。
【００３４】
実施例のラット・マウス開口器１０は、前記歯係止フレーム１２と、第１口係止フレーム１４と、第２口係止フレーム１６と、前記開口調節体１８と、から構成されたシンプルかつコンパクトな構造であるため、ラット・マウス開口器１０は小型、軽量であるためラット・マウス開口器１０の携帯、保管が行い易い。
【００３５】
また、前記ラット・マウス開口器１０は、構造がシンプルかつコンパクトであるので、ラット・マウス開口器１０を使用した後に行う洗浄及びオートクレーブによる滅菌が行い易く、衛生的に保つことができる。
【００３６】
なお、実施例でラット・マウス開口器１０をラット１の口２に装着した手順はあくまで一手順であり、他の手順でラット・マウス開口器１０をラット１の口２に装着してもよいことは勿論である。
【００３７】
なお、実施例のラット・マウス開口器１０は、オートクレーブにより滅菌をより可能にするためにステンレスで形成したが、ラット・マウス開口器１０はステンレス以外で形成してもよいことは勿論である。
なお、実施例のラット・マウス開口器１０の歯係止フレーム１２、第１口係止フレーム１４、第２口係止フレーム１６は、ステンレスの針金状部材を折り曲げて形成したが、ステンレスの針金状部材以外の材料で形成してもよいことは勿論である。
【産業上の利用可能性】
【００３８】
なお、実施例では本考案のラット・マウス開口器をラットに使用したが、ラット、マウス以外のモルモット等の小動物にも使用することができる。
【符号の説明】
【００３９】
１０    ラット・マウス開口器
１２    歯係止フレーム
１４    第１口係止フレーム
１６    第２口係止フレーム
１８    開口調節体
２０    第１フレーム部
２０Ａ  基端部
２２    第２フレーム部
２２Ａ  基端部
２４    第３フレーム部
２６    第１歯係止部
２８    第２歯係止部
３０    第１口唇当接部
３２    第１口腔内当接部
３６    第１フレーム部挿通孔
３８    第２フレーム部挿通孔
４０    第２口唇当接部
４２    第２口腔内当接部
４４    第２口係止フレーム回動阻止リング体
４６    第１メネジ体
４８    第２メネジ体
５０    オネジピン
５２    摘み調節部
【図１】
0003194403.tif 000003
【図２】
0003194403.tif 000004
【図３】
0003194403.tif 000005
【図４】
0003194403.tif 000006